(57)【要約】【課題】      従来の水汲みバケツは水面に立ち上がった状態で載ってしまうと倒すのが困難なことである。【解決手段】  釣り用水汲みバケツ１は、上方に開口部５を有し、内部に水を入れる収納部６を有する容器本体２を有している。溶器本体２は、底面部４は開口部５より小さくなっており、溶器本体２は倒れやすいように形成されている。開口部５には、コ字状に形成したハンドル９が回動自在に取り付けられ、開口部５に起立及び倒伏可能に架設される。【選択図】        図２
2006271280.tif 000002
【特許請求の範囲】
【請求項１】
上方に開口部が形成された容器本体を有する釣り用水汲みバケツにおいて、前記容器本体の前記開口部より前記底面部を小さく形成すると共に、容器本体に起立及び倒伏可能にハンドル部を取り付けたことを特徴とする釣り用水汲みバケツ。
【請求項２】
ハンドルは握持部と該握持部の両端部から下方に突出する軸部を有し、前記握持部を前記軸部より重く形成したことを特徴とする請求項１記載の釣り用水汲みバケツ。
【請求項３】
ハンドル部は倒伏した時、溶器本体の開口部に当接することを特徴とする請求項１または２記載の釣り用水汲みバケツ。
【発明の詳細な説明】
【技術分野】
【０００１】
本発明は、釣り場で水を汲むための釣り用水汲みバケツに関する。
【背景技術】
【０００２】
釣り用水汲みバケツは、足場が高い釣り場で水を汲む時に使用され、溶器本体を水面に投げ込んでロープで釣り上げて水を汲み、魚を入れた容器に水を入れたり、餌を作ったり、釣り具を洗ったり、釣り場の清掃を行うために使用されている。
ところが、水面に投げ込んだ溶器本体が開口を上にして、水面に置かれたように立ち上がってしまうことがあり倒れにくかった。
【０００３】
例えば、特許文献１の公報には、底面部が開口部より大きい水汲みバケツが紹介されている。
しかし、このような水汲みバケツは、一度水面に立ち上がった状態で載ってしまうと倒すのが困難で水を汲むのに苦労していた。
【特許文献１】特開２０００−３５０４２号公報
【発明の開示】
【発明が解決しようとする課題】
【０００４】
解決しようとする課題は、従来の水汲みバケツは立ち上がった状態で水面に載ってしまうと倒すのが困難であることである。
【０００５】
本発明の目的は前記欠点に鑑み、水面に投げ入れた釣り用水汲みバケツが水面に立ち上がらずに容易に倒れるようにすることである。
【課題を解決するための手段】
【０００６】
上記課題を解決するために、
請求項１に係わる本発明は、上方に開口部が形成された容器本体を有する釣り用水汲みバケツにおいて、前記容器本体の前記開口部より前記底面部を小さく形成すると共に、容器本体に起立及び倒伏可能にハンドル部を取り付けたことを要旨とするものである。
請求項２に係わる本発明は、ハンドルは握持部と該握持部の両端部から下方に突出する軸部を有し、前記握持部を前記軸部より重く形成したことを要旨とするものである。
請求項３に係わる本発明は、ハンドル部は倒伏した時、溶器本体の開口部に当接することを要旨とするものである。
【発明の効果】
【０００７】
本発明の各請求項によると、水面に投げ入れた釣り用水汲みバケツが容易に倒れるようになる。
【発明を実施するための最良の形態】
【０００８】
以下、本発明の実施形態を図面に基づき説明すると、図１及び図２は本発明の実施例で、図１は釣り用水汲みバケツの側面図、図２は釣り用水汲みバケツの正面断面図である。
【０００９】
図１及び図２によると、釣り用水汲みバケツ１は、内部に水を入れる収納部６を有する容器本体２を有しており、この容器本体２は、底面部４、側面部３を有している。
容器本体２は、ポリ塩化ビニルやエチレン酢酸ビニル等の合成樹脂から成る可撓性を有する合成樹脂シートを用いて防水性を有するように形成され、底面部４と側面部３の端部を溶着やその他の手段で接合して上方に開口部５を有している。
【００１０】
容器本体２の底面部４及び開口部５は平面視で四角形に形成され、容器本体２の側面部３はこれに応じて形成されるため、容器本体２は四角形の容器となっており、また、底面部４と開口部５は大きさの異なる正四角形であり、底面部４は開口部５（開口部５で囲まれた領域）より面積が小さくなっており、開口部５を形成する４辺のそれぞれは底面部４を形成する４辺よりも外側側に位置し、側面部３は開口部５から底面部４に向かって収斂するように傾斜して形成され、溶器本体２は底面部４が接地した状態で倒れやすいように形成されている。
【００１１】
容器本体２の底面部４は、その周辺部が側面部３の下端部と重合されて接合され２層に形成されており、側面部３の外側に突出している。
したがって、底面部４の中央側よりも厚味と剛性が大きく歪みにくくまた、破損しにくくなっている。
【００１２】
容器本体２は可撓性を有する合成樹脂シートから成り、その側面部３を折り曲げて上下に押しつぶすようにして底面部４を開口部５に近づけて折り畳むことができ、容易に持ち運びができるようになっている。
【００１３】
容器本体２は、その側面部３の上端部がフレーム７にて内側から外側へ折り返され、その折り返し部３ａが側面部３の外側面に止着され開口部５が形成されている。
この開口部５には、一対のハンドルの取付部８が開口部５の対向位置に取り付けられ、この取付部８に合成樹脂により成型しコ字状に形成したハンドル９の両端部がそれぞれ回動自在に取り付けられ、ハンドル９は開口部５に起立及び倒伏可能に架設される。
【００１４】
すなわち、ハンドル９は起立した状態で左右方向（水平状）に配される握持部１０と握持部１０の両端側からそれぞれ下方に向かう一対の軸部１１を有し、その全体がコ字状に形成され、軸部１１の下端には開口部５を横切る方向に向かう回動軸１１ａを有し、ハンドル９は取付部８に対し開口部５に沿った方向（矢印方向）に回動し、図１及び図２に示す起立状態及び図１に２点鎖線で示す倒伏状態にすることができる。
【００１５】
また、ハンドル９は、握持部１０の中央側に握持体１０ａを有し、この握持体１０ａは、握持部１０の他の部分や軸部１１よりも太径に形成され握持しやすくなっており、またこの握持体１０ａにより握持部１０は軸部１１よりも大きな重量を有している。
したがって、ハンドル９が起立状態の釣り用水汲みバケツ１は握持部１０の重量で重心が高くなり倒れやすく、また、ハンドル９も回動軸１１ａが取付部８の孔８ａに回動自在に挿通されて取り付けられているため倒れやすい。
【００１６】
ハンドル９には容器本体２を吊り下げるロープ１２の一端部側が取り付けられており、その他端部側は捲回具１３に取り付けられ、使用しないロープ１２は捲回具１３に捲回しておき、容器本体２に水を汲む時に必要な長さのロープ１２を解いて出せるようになっている。
【００１７】
この水汲みバケツ１で水を汲むときは、捲回具１３から適当長さのロープ１２を解いて溶器本体２を水面に投げ込む。
水面に落ちた容器本体２は、大きな重量を有するハンドル９が下になって落ちるようになっているが、水面に溶器本体２が立ち上がってしまってもハンドル９と共に溶器本体２が倒れるかまたはハンドル９が取付部８に対して回動して倒れる。
【００１８】
ハンドル９は起立状体から回動して倒伏状態になる時、握持部１０の中央側の握持体１０ａの重量によってその回動に勢いが付き、また、倒伏したハンドル９は溶器本体２の開口部５に当接して回動が止まるためこの反動で溶器本体２は容易に倒れる。
ハンドル９は握持部１０の握持体１０ａが開口部５に当接しするが、開口部に別体の当接部を設けてもよく、この場合は別体の当接部は開口部９の一部と見なす。
例えば、取付部８は開口部５に止着されて開口部５の一部を構成しているため、ハンドル９の軸部１１が取付部８に当接して止まるようにしてもよい。
【００１９】
倒伏状態のハンドル９は、略開口部５と同じ高さになり、握持部１０の握持体１０ａが開口部５の一辺と並んだ位置で回動が阻止されて保持され、握持体１０ａが開口部５及び底面部４より外側側に位置し、これによっても、溶器本体２が倒れやすくなっている。
【００２０】
このようにして水面に投げ込まれた溶器本体２は水面で倒れて開口５が水面下に入り込むと収納部６に水が流入し、水面下に沈む。
つぎに、ロープを引いて溶器本体２を引き上げ、水を汲むことができる。
【００２１】
なお、ハンドル９は回動自在に枢着したが、ハンドル９の軸部１１が可撓性を有し自然状態では軸部１１の弾性で起立状態となり溶器本体を水面に落下させた時などに握持部１０の重量で撓んで倒伏し、溶器本体２を倒すようにしてもよい。
【産業上の利用可能性】
【００２２】
本発明は、釣り用水汲みバケツ全般に利用できる。
【図面の簡単な説明】
【００２３】
【図１】釣り用水汲みバケツの側面図である。
【図２】釣り用水汲みバケツの正面断面図である。
【符号の説明】
【００２４】
１  釣り用水汲みバケツ
２  容器本体
３  側面部
４  底面部
５  開口部
８  取付部
９  ハンドル部
１０  握持部
１１  軸部
１２  ロープ
【図１】
2006271280.tif 000003
【図２】
2006271280.tif 000004